(57)【要約】【課題】薄型ドライブで省スペースを維持しつつ、振動を抑制することができるスロットイン型ディスク装置を提供すること。【解決手段】スロットイン型ディスク装置は、ベース本体１０と蓋体とからシャーシ外装を構成し、シャーシ外装のフロント面にディスクを直接挿入するディスク挿入口１１を形成し、ベース本体１０のフロント面側にはトラバースベース３０が配置され、トラバースベース３０の側方にスライダー５０が配置され、トラバースベース３０側のカムピン５１Ｂとスライダー５０側のカム溝５１Ａとの間でトラバースベース３０を昇降させるカム機構５１を構成し、トラバースベース３０とスライダー５０との間にはベース部材１６が設けられ、ベース部材１６に設けた縦溝１６Ｂによってカムピン５１Ｂを位置規制し、縦溝１６Ｂを弾性部材１６Ａによって形成したことを特徴とする。【選択図】        図１
2008165838.tif 000002
【特許請求の範囲】
【請求項１】
ベース本体と蓋体とからシャーシ外装を構成し、
前記シャーシ外装のフロント面にディスクを直接挿入するディスク挿入口を形成し、
前記ベース本体のフロント面側にはトラバースベースが配置され、
前記トラバースベースの側方にスライダーが配置され、
前記トラバースベース側のカムピンと前記スライダー側のカム溝との間で前記トラバースベースを昇降させるカム機構を構成し、
前記トラバースベースと前記スライダーとの間にはベース部材が設けられ、
前記ベース部材に設けた縦溝によって前記カムピンを位置規制するスロットイン型ディスク装置であって、
前記縦溝を弾性部材によって形成したことを特徴とするスロットイン型ディスク装置。
【請求項２】
前記縦溝を、上端側に比べて下端側の溝幅を狭くしたことを特徴とする請求項１に記載のスロットイン型ディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できるスロットイン型ディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作するスロットイン型ディスク装置が存在する（例えば特許文献１）。
【特許文献１】特開２００２−３５２４９８号公報
【発明の開示】
【発明が解決しようとする課題】
【０００３】
しかし、特許文献１の装置では、ディスク再生時にトラバースの昇降ピンをカムやガイド部材で保持しているが、昇降ピンは、カム等に対して摺接抵抗の発生しない状態を保つ必要があるため、一定のガタが存在し、振動に対して弱い構成であった。
また、トラバース昇降ピンの左右方向の振動については、トラバース昇降用カムが左右に移動するため、左右方向の位置規制をガイド部材に頼っている。ガイド部材は、板金などの非弾性部材を使用しているため、ディスク再生時に、振動が大きくなり、ピンと板金の間で振動が発生することがあった。
【０００４】
そこで本発明は、薄型ドライブで省スペースを維持しつつ、振動を抑制することができるスロットイン型ディスク装置を提供することを目的とする。
【課題を解決するための手段】
【０００５】
請求項１記載の本発明のスロットイン型ディスク装置は、ベース本体と蓋体とからシャーシ外装を構成し、前記シャーシ外装のフロント面にディスクを直接挿入するディスク挿入口を形成し、前記ベース本体のフロント面側にはトラバースベースが配置され、前記トラバースベースの側方にスライダーが配置され、前記トラバースベース側のカムピンと前記スライダー側のカム溝との間で前記トラバースベースを昇降させるカム機構を構成し、前記トラバースベースと前記スライダーとの間にはベース部材が設けられ、前記ベース部材に設けた縦溝によって前記カムピンを位置規制するスロットイン型ディスク装置であって、前記縦溝を弾性部材によって形成したことを特徴とする。
請求項２記載の本発明は、請求項１に記載のスロットイン型ディスク装置において、前記縦溝を、上端側に比べて下端側の溝幅を狭くしたことを特徴とする。
【発明の効果】
【０００６】
本発明によれば、トラバース昇降用のカムピンを弾性部材によってガイドすることで、特に左右方向の振動を有効に吸収することができる。
【発明を実施するための最良の形態】
【０００７】
本発明の第１の実施の形態によるスロットイン型ディスク装置は、縦溝を弾性部材によって形成したものである。本実施の形態によれば、トラバース昇降用のカムピンを弾性部材によってガイドすることで、特に左右方向の振動を有効に吸収することができる。
本発明の第２の実施の形態は、第１の実施の形態によるスロットイン型ディスク装置において、縦溝を、上端側に比べて下端側の溝幅を狭くしたものである。本実施の形態によれば、ディスク再生位置では左右方向の振動を吸収させ、ディスク再生位置以外のポジションでは、トラバース昇降用のカムピンの径よりも縦溝の幅を大きくすることでトラバース昇降の負荷を減らすことができる。
【実施例】
【０００８】
以下本発明の一実施例によるディスク装置について説明する。
図１は本実施例によるディスク装置のベース本体の平面図、図２は同装置の要部拡大斜視図、図３は同装置に用いる部品の要部斜視図、図４は図３の要部側面図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン型ディスク装置である。
図１に示すように、ディスクへの記録再生機能やディスクのローディング機能を行う各部品は、ベース本体１０に装着される。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバースベース３０が配置され、ベース本体１０のコネクタ１２側にはリアベース１３が配置されている。トラバースベース３０とリアベース１３とは互いが重ならないように配置されている。リアベース１３のベース本体１０面側にはプリント基板１４が設けられている。
【０００９】
トラバースベース３０は、スピンドルモータ３１とピックアップ３２とピックアップ３２を移動させる駆動手段３３とを保持している。スピンドルモータ３１はトラバースベース３０の一端側に設けられ、ピックアップ３２はトラバースベース３０の一端側から他端側までを移動可能に設けられている。またピックアップ３２はスタンバイ時にはトラバースベース３０の他端側、すなわちベース本体１０の外周側に配置される。
トラバースベース３０において、スピンドルモータ３１がベース本体１０の中央部に位置し、またピックアップ３２の往復移動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
トラバースベース３０は、一対のインシュレータ３４Ａ、３４Ｂによってベース本体１０に支持されている。
【００１０】
一対のインシュレータ３４Ａ、３４Ｂは、スピンドルモータ３１の位置よりもピックアップ３２の静止位置側に配設している。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。トラバースベース３０は、インシュレータ３４Ａ、３４Ｂを支点として、スピンドルモータ３１側をベース本体１０と近接離間させるように動作する。
【００１１】
以下に、カム機構を備えたメインスライダー４０とサブスライダー５０について説明する。トラバースベース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がシャーシ本体１０のフロント面側、その他端がシャーシ本体１０のリア面側となる方向に配設されている。また、サブスライダー５０は、トラバースベース３０とリアベース１３との間に、メインスライダー４０と直交する方向に配設されている。
トラバースベース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバースベース３０との間にはベース部材１５が設けられ、サブスライダー５０とトラバースベース３０との間にはベース部材１６が設けられている。ここでベース部材１５とベース部材１６はベース本体１０に固定されている。ベース部材１５に設けた縦溝（図示せず）によってトラバースベース３０のカムピン（図示せず）を位置規制している。
【００１２】
メインスライダー４０の一端側にはローディングモータ６０が配設されている。ローディングモータ６０の駆動軸とメインスライダー４０の一端側とは歯車機構を介して連結されている。
このローディングモータ６０の駆動によってメインスライダー４０を長手方向に摺動させることができる。またメインスライダー４０は、カムレバー７０によってサブスライダー５０と連結している。
カムレバー７０は、回動支点７１、ピン７２、ピン７３、及びピン７４を有している。ピン７２、７３はメインスライダー４０の上面に設けたカム溝と係合し、ピン７４はサブスライダー５０の上面に設けたカム溝と係合し、カムレバー７０は、回動支点７１を軸として回動する。
【００１３】
以下にカムレバーの動作について説明する。
ピン７３がメインスライダー４０のカム溝と係合している間は、カムレバー７０は回動しない。この状態はスタンバイ状態である。ディスクがローディングされた後にもしばらくはこの状態であり、トラバースベース３０はベース本体１０に近接した状態にある。
ディスクの中心がスピンドルモータ３１の上方に位置した時点で、ピン７３はメインスライダー４０のカム溝から外れ、カムレバー７０は回動を始める。
メインスライダー４０は、カムレバー７０のピン７２が摺動する溝を有し、カムレバー７０の動作によって第１のカム機構４１をメインスライダー４０と同一の方向に移動させる。カムレバー７０の回動によって、サブスライダー５０を移動させ、サブスライダー５０を移動させることによって第２のカム機構５１を動作させる。
すなわち、カムレバー７０の回動によって、第１のカム機構４１及び第２のカム機構５１は、所定距離だけ移動し、トラバースベース３０が変位動作する。
そしてチャッキング動作が終了した時点で、カムレバー７０の回動は終了する。
【００１４】
以上説明した、コネクタ１２、トラバースベース３０、リアベース１３、プリント基板１４、インシュレータ３４Ａ、３４Ｂ、メインスライダー４０、サブスライダー５０、及びローディングモータ６０は、ベース本体１０に設けられ、これらの部材と蓋体との間に、ディスク挿入空間を形成する。
【００１５】
次に、図２から図４を用いて、サブスライダー５０におけるカム機構を説明する。
第２のカム機構５１は、サブスライダー５０の側面に設けたカム溝５１Ａと、トラバースベース３０のカムピン５１Ｂによって構成されている。なお、ベース部材１６には、弾性部材１６Ａが装着され、この弾性部材１６Ａによって縦溝１６Ｂが形成されている。そして、このベース部材１６に設けた弾性部材１６Ａの縦溝１６Ｂによってトラバースベース３０のカムピン５１Ｂを位置規制している。なお、縦溝１６Ｂは、下端側において上端側に比べて溝幅が狭く構成され、カムピン５１Ｂが縦溝１６Ｂの下部に位置する時に、縦溝１６Ｂによって挟持される。ここで、ベース部材１６とサブスライダー５０とは、第３のカム機構５２によって連結している。第３のカム機構５２は、サブスライダー５０側面に設けたカム溝５２Ａとベース部材１６に取り付けたカムピン５２Ｂによって構成されている。そしてこの第３のカム機構５２は、第２のカム機構５１によってトラバースベース３０をベース本体１０に対して離間する方向に移動させる時に、サブスライダー５０をベース本体１０に対して離間する方向に移動させるものである。
【００１６】
なお、本実施例においては、ベース部材１６に対して弾性部材１６Ａを装着した場合で説明したが、ベース部材１５に対しても同様に縦溝を有する弾性部材を用いることが好ましい。
以上のように、本実施例によれば、トラバース昇降用のカムピン５１Ｂを弾性部材１６Ａによってガイドすることで、特に左右方向の振動を有効に吸収することができる。特に弾性部材１６Ａは、ディスク再生位置では、トラバース昇降用のカムピン５１Ｂのピン径よりも狭い幅の溝でガイドすることによって、左右方向の振動を吸収させ、ディスク再生位置以外のポジションでは、トラバース昇降用のカムピン５１Ｂの径よりも縦溝１６Ｂの幅を大きくすることでトラバース昇降の負荷を減らすことができる。このように本実施例による弾性部材１６Ａは、効果的に装置の振動を抑えることができ、また薄型（小型）で構成できるため、装置の薄型化を図ることができる。
【産業上の利用可能性】
【００１７】
本発明は、ＣＤ、ＤＶＤ等のディスク状記録媒体の記録または再生を行うディスク装置において、特に家庭用映像機器やコンピュータの周辺装置として用いられる薄型化の必要なディスク装置に利用できる。 
【図面の簡単な説明】
【００１８】
【図１】本実施例によるディスク装置のベース本体の平面図
【図２】同装置の要部拡大斜視図
【図３】同装置に用いる部品の要部斜視図
【図４】図３の要部側面図
【符号の説明】
【００１９】
１０  ベース本体
１１  ディスク挿入口
１５，１６  ベース部材
１６Ａ  弾性部材
１６Ｂ  縦溝
３０    トラバースベース
４０  メインスライダー
５０  サブスライダー
４１，５１  カム機構
５１Ａ，５２Ａ  カム溝
５１Ｂ，５２Ｂ  カムピン
【図１】
2008165838.tif 000003
【図４】
2008165838.tif 000004
【図２】
2008165838.tif 000005
【図３】
2008165838.tif 000006